(57)【要約】【課題】サイズが異なるワイヤであっても、連結ケースを共通部品化して防護柵の製作に要する費用を削減し、導入コストを低下できる防護柵を提供する。【解決手段】縦枠６と、各縦枠６に固定される連結金具１０と、連結金具１０にねじ込まれて、ワイヤ１３を緊張状態で張り渡す第１・第２のワイヤ連結具１１・１２とからなる。両ワイヤ連結具１１・１２は、テンションばね２４と、ワイヤ１３の端部にかしめ固定されるエンド金具２５と、テンションばね２５の内端を受け止めるばね受体２６と、これらの部材２４・２５・２６を収容する連結ケース２８などで構成する。第２ワイヤ連結具１２のばね受体２６を２分割された分割体２６ａで構成して、ワイヤ１３に対して後組みできるようにする。ばね受体２６を変更することで、ワイヤ１３のサイズ変更に対応して、連結ケース２８などを共用できる。【選択図】図１
2010043432.tif 000002
【特許請求の範囲】
【請求項１】
所定間隔を隔てて設置される縦枠（６）と、各縦枠（６）に固定される連結金具（１０）と、両連結金具（１０）にねじ込み連結されてワイヤ（１３）を緊張状態で張り渡す第１・第２のワイヤ連結具（１１・１２）とを含んで構成されており、
第１・第２の両ワイヤ連結具（１１・１２）は、ワイヤ（１３）に組み込まれるテンションばね（２４）と、ワイヤ（１３）の端部にかしめ固定されてテンションばね（２４）の外端を受け止めるエンド金具（２５）と、テンションばね（２５）の内端を受け止めるばね受体（２６）と、これらの部材（２４・２５・２６）を収容する連結ケース（２８）とを含んで構成されており、
連結ケース（２８）にエンド金具（２５）をケース内外へ出し入れ操作するケース通口（３３）が形成されており、
第１・第２の両ワイヤ連結具（１１・１２）の少なくとも一方のばね受体（２６）が、ワイヤ挿通穴（３８）の中心軸を通る平面に沿って分割された分割体（２６ａ）で構成されて、ワイヤ（１３）に対して後組み可能に構成してあることを特徴とするワイヤを仕切り要素とする防護柵。
【請求項２】
ばね受体（２６）の周面に、分割体（２６ａ）の分割面と交差する装填溝（３９）が周回状に形成されており、装填溝（３９）に装着した止め輪（４１）で分割体（２６ａ）が分離不能に保持してある請求項１に記載のワイヤを仕切り要素とする防護柵。
【請求項３】
ばね受体（２６）が、テンションばね（２４）に外嵌する筒壁（３５）と、テンションばね（２４）の内端を受け止める座壁（３６）と、連結ケース（２８）のケース通口（３３）に装填されるボス部（３７）とでスリーブ状に形成されており、
筒壁（３５）の周面に装填溝（３９）が形成してある請求項１または２に記載のワイヤを仕切り要素とする防護柵。
【請求項４】
ばね受体（２６）の筒壁（３５）の周面の端部から装填溝（３９）へ向かって、徐々に直径寸法が増加する止め輪（４１）用の装着案内面（４０）が形成してある請求項３に記載のワイヤを仕切り要素とする防護柵。
【請求項５】
防護柵（３）が、主枠体（９）と、主枠体（９）の縦枠（６）に対して、連結金具（１０）と第１・第２のワイヤ連結具（１１・１２）を介して張り渡される複数個のワイヤ（１３）とで構成されており、
主枠体（９）の縦枠（６）が、手摺棒（２）を支持する支柱（４）を兼ねている請求項１から４のいずれかに記載のワイヤを仕切り要素とする防護柵。
【発明の詳細な説明】
【技術分野】
【０００１】
本発明は、例えば手摺棒の下方空間を仕切って歩行者の転落やはみ出しを防止するための、ワイヤを仕切り要素とする防護柵に関する。本発明の防護柵は、階段、スロープ、バルコニー、外廊下などの手摺等に適用される。
【背景技術】
【０００２】
この種の防護柵の構造は、例えば特許文献１に開示してある。そこでは、隣接する手摺支柱のそれぞれにブラケットを固定しておき、各ブラケットに締結した一対の緊張金具でワイヤを支柱間に張り渡している。一方の緊張金具はボールチャックを内蔵しており、他方の緊張金具は、丸筒状のケースの内部に調整ねじ体とワイヤの緩みを吸収するテンションばねを備えている。一端にエンド金具が固定されたワイヤを、後者の緊張金具に挿通したのち、後者の緊張金具のケースをブラケットに固定した連結金具にねじ込んで仮組みする。さらに、ワイヤの挿通始端側を緊張金具のボールチャックで捕捉固定する。この状態で、調整ねじ体をケースにねじ込むことにより、ワイヤを適度に緊張させた状態で張り渡すことができる。
【０００３】
上記のように、ボールチャックでワイヤを捕捉する緊張金具は、より少ない手間でワイヤを支柱間に張り渡すことができるものの、ボールチャックの分だけ構造が複雑で、コストが高く付いてしまう。構造を簡素化して低コスト化できる簡易構造のワイヤ緊張装置が特許文献２に開示してある。そこでは、外面にねじが形成された連結金具を各支柱に固定しておき、連結金具にねじ込まれる一対のワイヤ連結具でワイヤを張り渡している。
【０００４】
ワイヤ連結具は、ワイヤの端部に固定されるエンド金具と、エンド金具の端部にねじ込まれるビスと、エンド金具を受け止めるテンションばねと、これらの部材を収容する有底筒状のケースなどで構成してある。施工時には、一方のワイヤ連結具を連結金具にねじ込んで仮止めした状態で、ワイヤの他端側に固定したエンド金具を手摺の補助支柱のワイヤ通口に通したのち、他方のワイヤ連結具を組み立てて連結金具にねじ込み、両ワイヤ連結具のケースのねじ込み量を加減することによりワイヤを緊張させる。
【０００５】
【特許文献１】特開平８−９３１６７号公報（段落番号０００６、図１）
【特許文献２】特開２００２−２１９４０号公報（段落番号００２１、図４）
【発明の開示】
【発明が解決しようとする課題】
【０００６】
特許文献２のワイヤ緊張装置は、ボールチャックを省いてワイヤの両端をねじで引っ張って緊張させるので、特許文献１のワイヤ緊張装置に比べてコストを削減できる。また、片方のワイヤ連結具の構成部品をケースに後組みできるので、ワイヤを挿通するために補助支柱に形成されるワイヤ通口径を小さくして、支柱間に張り渡したワイヤの撓み限界を規制できる。しかし、有底筒状のケースにばね穴とエンド金具を挿入するための通口とを形成し、ばね穴の内奥端で圧縮ばねの内端を受け止めるので、使用するワイヤサイズ（直径寸法）が異なるごとに専用のケースを用意する必要があり、防護柵を低コスト化するうえで限界があった。
【０００７】
また、エンド金具の突端にねじ込んだビスの操作頭部でワイヤの緊張力を受け止めるので、外部振動が連続して作用するような場合に、ビスが緩んでワイヤが弛むおそれがある。ワイヤに弛みがあると、歩行者の体重を受け止めるような場合にワイヤが大きく撓み変形してバランスを崩すおそれがあり、とくに防護柵を高層階等のバルコニーや、吹き抜けに臨む廊下などの手摺に適用する場合に、安全性に問題がある。また、ワイヤに弛みがあると防護柵および手摺の外観が著しく損なわれる点にも問題がある。
【０００８】
本発明の目的は、ワイヤ連結具の構成部品の共通化を実現して防護柵の製作費用を削減し、さらに組立の手間を省いて、全体として導入コストを低下できる防護柵を提供することにある。本発明の目的は、長期使用時、あるいは外部振動が防護柵に連続して作用するような場合にでも、ワイヤが弛むのを確実に防止でき、したがって、安全性と外観上の体裁を向上できる、ワイヤを仕切り要素とする防護柵を提供することにある。
【課題を解決するための手段】
【０００９】
本発明の防護柵は、所定間隔を隔てて設置される縦枠６と、各縦枠６に固定される連結金具１０と、両連結金具１０にねじ込み連結されてワイヤ１３を緊張状態で張り渡す第１・第２のワイヤ連結具１１・１２とを含んで構成する。第１・第２の両ワイヤ連結具１１・１２は、ワイヤ１３に組み込まれるテンションばね２４と、ワイヤ１３の端部にかしめ固定されてテンションばね２４の外端を受け止めるエンド金具２５と、テンションばね２５の内端を受け止めるばね受体２６と、これらの部材２４・２５・２６を収容する連結ケース２８とを含んで構成する。連結ケース２８にエンド金具２５をケース内外へ出し入れ操作するケース通口３３を形成する。第１・第２の両ワイヤ連結具１１・１２の少なくとも一方のばね受体２６を、ワイヤ挿通穴３８の中心軸を通る平面に沿って分割された分割体２６ａで構成する。以て、ばね受体２６をワイヤ１３に対して後組み可能に構成する。
【００１０】
具体的には、ばね受体２６の周面に、分割体２６ａの分割面と交差する装填溝３９を周回状に形成し、装填溝３９に装着した止め輪４１で分割体２６ａを分離不能に保持する。
【００１１】
ばね受体２６は、テンションばね２４に外嵌する筒壁３５と、テンションばね２４の内端を受け止める座壁３６と、連結ケース２８のケース通口３３に装填されるボス部３７とでスリーブ状に形成し、筒壁３５の周面に装填溝３９を形成する。
【００１２】
ばね受体２６の筒壁３５の周面の端部から装填溝３９へ向かって、徐々に直径寸法が増加する止め輪４１用の装着案内面４０を形成する。
【００１３】
防護柵３は、主枠体９と、主枠体９の縦枠６に対して、連結金具１０と第１・第２のワイヤ連結具１１・１２を介して張り渡される複数個のワイヤ１３とで構成する。主枠体９の縦枠６は、手摺棒２を支持する支柱４を兼ねるようにする。
【発明の効果】
【００１４】
本発明では、ワイヤ１３に先組みされるテンションばね２４と、ワイヤ１３の端部にかしめ固定されるエンド金具２５と、テンションばね２５を受け止めるばね受体２６と、これらの部材２４・２５・２６を収容する連結ケース２８などで各ワイヤ連結具１１・１２を構成した。また、連結ケース２８には、エンド金具２５をケース内外へ出し入れ操作するケース通口３３を形成した。そのうえで、両ワイヤ連結具１１・１２の少なくとも一方のばね受体２６を分割体２６ａで構成して、ばね受体２６をワイヤ１３に対して後組みできるようにした。
【００１５】
上記のように、連結ケース２８に収容したばね受体２６でテンションばね２４を受け止めるようにすると、サイズが異なるワイヤ１３で防護柵３を構成する場合に、ばね受体２６を交換するだけで、連結ケース２８やテンションばね２４などを共通使用することができるので、従来装置に比べてワイヤ１３を緊張させるための構造に要するコストを削減して、その分だけ防護柵３の製作に要する費用を削減できる。また、ばね受体２６を分割体２６ａで構成して、ばね受体２６をワイヤ１３に対して後組みできるようにするので、ビスを締緩操作する必要があった従来装置に比べて、第１ワイヤ連結具１１、および第２ワイヤ連結具１２の組立を迅速に行なって、ワイヤ１３の張り渡し作業を簡便に行なうことができ、全体として防護柵の製作に要する費用を削減して導入コストを低下できる。
【００１６】
使用状態においては、ワイヤ１３の両端に固定したエンド金具２５でワイヤ１３に作用する緊張力を受け止めるので、ビスの操作頭部でテンションばねの緊張力を受け止める従来装置に比べて、長期使用時にワイヤ１３が緩み、あるいは外部振動が防護柵３に連続して作用するような環境下でワイヤ１３が緩むのを確実に阻止できる。これにより、人の体重をワイヤ１３で受け止めるような場合に、ワイヤ１３が大きく撓み変形してバランスを崩すような事態を一掃して防護柵３の安全性を向上できる。とくに防護柵３が高層階のバルコニーや、吹き抜けに臨む廊下などの手摺に適用される場合の安全性を強化できる。外観上の体裁も向上できる。ばね受体２６を２分割された分割体２６ａ・２６ａで構成して、ワイヤ１３に対して後組み可能とすることにより、防護柵３に補助縦枠７が設けてある場合に、補助縦枠７に形成されるワイヤ通口１４の直径や大きさを可能な限り小さくして、縦枠６間に張り渡したワイヤ１３の撓み範囲を小さく規制でき、このことによっても防護柵３の安全性を強化できる。
【００１７】
ばね受体２６の周面に設けた装填溝３９に止め輪４１を装着して分割体２６ａを分離不能に保持すると、ばね受体２６、テンションばね２４、およびエンド金具２５などを連結ケース２８に組み込む際に、止め輪４１で分割体２６ａの組立形状を保持できるので、分割体２６ａを支え保持する必要がなく、したがってばね受体２６の組み込みを迅速にしかも的確に行なえる。
【００１８】
テンションばね２４に外嵌する筒壁３５と、テンションばね２４の内端を受け止める座壁３６と、連結ケース２８のケース通口３３に装填されるボス部３７とでばね受体２６をスリーブ状に形成し、筒壁３５の周面に装填溝３９を形成すると、ばね受体２６の組み付けをさらに確実に行える。分割体２６ａをテンションばね２４に被せ付けた状態において、筒壁３５をテンションばね２４で受け止めて、分割体２６ａをぐらつきのない状態で円筒状に保形でき、この状態で止め輪４１を装填溝４０に装着できるからである。また、ばね受体２６を連結ケース２８に組み込んだ状態においては、筒壁３５でテンションばね２４の外面を受け止めて、テンションばね２４が径方向へぐらつくのを規制できる利点もある。
【００１９】
ばね受体２６の筒壁３５に、装填溝３９へ向かって装着案内面４０がテーパー状に形成してあると、装着案内面４０に沿って止め輪４１をスライドするだけの簡単な操作で、止め輪４１を装填溝３９に係合することができ、各ワイヤ連結具１１・１２の組立をさらに速やかに行なうことができる。とくに、施工現場で各ワイヤ連結具１１・１２を組み立てるときの手間を軽減できる。
【００２０】
主枠体９と、主枠体９の縦枠６に対して、連結金具１０と第１・第２のワイヤ連結具１１・１２を介して張り渡される複数個のワイヤ１３とで防護柵３を構成し、主枠体９の縦枠６が手摺棒２を支持する支柱４を兼ねるようにしてあると、ワイヤ１３を張り渡して防護柵３を完成した状態で建物や階段などに防護枠３を後組みすればよく、したがって、ワイヤ１３の張り渡し作業を広い作業スペースでより簡便に行なえる。防護柵３を工場で組み立たのち、施工現場に搬入して組むこともできる。
【発明を実施するための最良の形態】
【００２１】
（実施例）  図１ないし図６は本発明の防護柵を手摺に適用した実施例を示す。図２において手摺１は、手摺棒２と、手摺棒２の下側に設けられる防護柵３とで構成してある。この実施例における手摺１は、吹き抜け空間に臨む通路や、病院あるいは公共施設などの外廊下の外縁に沿って設けてあり、防護柵３は、一定間隔おきに設けられる柱の隣接対向面に締結固定されて手摺棒２を支持している。
【００２２】
防護柵３は、左右一対の縦枠６・６と、両縦枠６・６の左右中央に配置される補助縦枠７と、両縦枠６・６の間に固定される上下一対の横枠８・８とで構成される主枠体９と、左右の縦枠６・６に対して、連結金具１０と第１・第２のワイヤ連結具１１・１２を介して張り渡される上下３段のワイヤ１３とで構成してある。補助縦枠７には、後述するエンド金具２５を挿通するためのワイヤ通口１４が、各ワイヤ１３に対応して形成してある。
【００２３】
連結金具１０は、周面に雄ねじ１７が形成され、内面に雌ねじ１８が形成してある筒状の金具からなる。連結金具１０の一端に設けたボス１９を縦枠６の締結穴に嵌め込んだ状態で、縦枠６の反対側からビス２０を座金２１を介して雌ねじ１８にねじ込むことにより、連結金具１０が縦枠６に締結固定されている。図３に示すように座金２１は断面コ字形に形成してある。
【００２４】
図３において第１ワイヤ連結具１１は、テンションばね２４と、ワイヤ１３の一端にかしめ固定されるエンド金具２５と、ばね受体２６と、座金およびスラストベアリング２７と、これらの部材２４・２５・２６、２７を収容する連結ケース２８などで構成する。テンションばね２４は圧縮ばねからなる。エンド金具２５は、ステンレス製の丸棒を六角形状にかしめ変形することによりワイヤ１３に固定してある。エンド金具２５のかしめ処理に先行して２個のテンションばね２４・２４と、座金およびスラストベアリング２７と、ばね受体２６とがワイヤ１３に予め組み込まれる。ワイヤ１３の両端にエンド金具２５を固定した状態では、テンションばね２４・２４、座金およびスラストベアリング２７、ばね受体２６の抜け外れをエンド金具２５で阻止できる。スラストベアリング２７は市販品である。
【００２５】
連結ケース２８は、ステンレス鋼材を有底筒状に旋削して形成してあり、ケース内面には連結金具１０にねじ込み連結される雌ねじ（ねじ体）３１と、先の各部材２４・２５・２６、２７を収容する収容穴３２とが形成され、ケース端壁にエンド金具２５を出し入れするためのケース通口３３が形成してある。連結ケース２８の外周面の対向部分には、スパナを係合するための操作部３４が平行に形成してある。ばね受体２６は、テンションばね２４を座金とスラストベアリング２７を介して受け止める座壁３６と、連結ケース２８のケース通口３３に装填されるボス部３７とを一体に備えている。ばね受体２６の中央には、ワイヤ１３の出し入りを許すワイヤ挿通穴３８が形成してある。
【００２６】
同様に、第２ワイヤ連結具１２は、テンションばね２４と、ワイヤ１３の他端にかしめ固定されるエンド金具２５と、ばね受体２６と、これらの部材２４・２５・２６を収容する連結ケース２８とで構成する。エンド金具２５および連結ケース２８は、第１ワイヤ連結具１１のエンド金具２５および連結ケース２８と同じであるが、テンションばね２４とばね受体２６は、第２ワイヤ連結具１２の専用部品として構成してある。詳しくは、第２ワイヤ連結具１２のテンションばね２４は、第１ワイヤ連結具１１のテンションばね２４に比べて、線径およびコイル径が小さく、しかも自由状態時の全長寸法が小さく設定してある。このテンションばね２４は、ばね受体２６が連結ケース２８の内奥壁から浮き離れるのを防ぐために設けるが、テンションを付与するばねとしても機能している。
【００２７】
図４において第２ワイヤ連結具１２のばね受体２６は、テンションばね２４に外嵌する筒壁３５と、テンションばね２４の一端を受け止める座壁３６と、連結ケース２８のケース通口３３に装填されるボス部３７とで段付きスリーブ状に形成する。また、第２ワイヤ連結具１２のばね受体２６は、ワイヤ挿通穴３８の中心軸を通る平面に沿って二分割される一対の分割体２６ａで構成してある。このように、ばね受体２６を一対の分割体２６ａで構成することにより、ばね受体２６をワイヤ１３に対して後組みできるが、その詳細は後述する。
【００２８】
図５に示すように筒壁３５の周面には、分割体２６ａの分割面と交差する装填溝３９が周回状に形成され、筒壁３５の開口端から装填溝３９へ向かって、徐々に直径寸法が増加するテーパー面状の装着案内面４０が形成してある。装填溝３９にＣ字状の止め輪４１を係合装着することにより、分割体２６ａを分離不能に保持しスリーブ形状を保持できる。この状態の止め輪４１は筒壁３５の外郭線内に位置している（図６参照）。なお、第２ワイヤ連結具１２の側のテンションばね２４の外径と、断面六角形のエンド金具２５に外接する仮想円の直径とは、それぞれ連結ケース２８のケース通口３３の直径および、補助縦枠７のワイヤ通口１４の直径より僅かに小さく設定してある。
【００２９】
ワイヤ１３は、例えば以下の手順で主枠体９の縦枠６の間に張り渡される。まず、縦枠６のそれぞれに連結金具１０をビス２０で対抗状に締結しておく。次ぎに、図３に一点鎖線で示すように第２ワイヤ連結具１２側のエンド金具２５を差し込み始端にして、ワイヤ１３を第１ワイヤ連結具１１の連結ケース２８に雌ねじ３１の開口側から差し込み、第１ワイヤ連結具１１側のテンションばね２４と、座金およびスラストベアリング２７と、ばね受体２６とを連結ケース２８に収容し、ばね受体２６のボス部３７をケース通口３３に嵌め込む。さらに、図４に示すように第２ワイヤ連結具１２側のエンド金具２５を、第２ワイヤ連結具１２の連結ケース２８にケース通口３３の側から挿通し、エンド金具２５およびテンションばね２４を連結ケース２８のケース外に露出させる。
【００３０】
上記の状態で、第２ワイヤ連結具１２側のばね受体２６の分割体２６ａをテンションばね２４の外面に被せ付け、さらに止め輪４１を装填溝３９に係合して分割体２６ａを一体化する。Ｃ字状に形成した止め輪４１は、その端部隙間を押し広げてワイヤ１３に組み付け、次ぎに装着案内面４０に沿ってスライド操作することにより、装填溝３９に的確に嵌め込むことができる。この組み付け過程では、テンションばね２４の外面で筒壁３５を受け止めて分割体２６ａが遊動しぐらつくのを規制できるので、止め輪４１を確実に装着できる。この状態で、ばね受体２６テンションばね２４およびエンド金具２５を第２ワイヤ連結具１２の連結ケース２８の内部に収容して、ばね受体２６のボス部３７をケース通口３３に嵌め込む。
【００３１】
第１・第２の両ワイヤ連結具１１・１２の組立が終了したのち、第２ワイヤ連結具１２側の連結ケース２８の雌ねじ３１を、連結金具１０にねじ込んで仮組みする。同様に、第１ワイヤ連結具１１側の連結ケース２８の雌ねじ３１を連結金具１０にねじ込んで仮組みする。最後に、図１に示すように両連結ケース２８・２８を連結金具１０に充分にねじ込んでワイヤ１３を緊張させる。この状態の各テンションばね２４は、全圧縮状態、ないしは全圧縮状態に近い状態にまで圧縮変形されており、したがって周辺温度の上昇によってワイヤ１３が伸び変形するような場合でも、各テンションばね２４が伸長してワイヤ１３の伸びを吸収できる。
【００３２】
上記の要領で上下３段にワイヤ１３を張り渡したのち、縦枠６の上端間に手摺棒２を固定する。この状態の防護柵３を隣接する柱の間において起立させ、縦枠６の上下複数箇所をボルトで各柱の対向面に締結する。これにより手摺棒２の下方空間を防護柵で仕切った状態の手摺１を構築できる。この実施例では、主枠体９の縦枠６・６が手摺棒２を直接支持する支柱４を兼ねており、同様に補助縦枠７が手摺棒２を直接支持する補助支柱５を兼ねることになる。
【００３３】
以上のように構成した防護柵３によれば、連結ケース２８の内部に収容したばね受体２６でテンションばね２４の内端を受け止め、さらにばね受体２６に形成したワイヤ挿通穴３８からワイヤ１３を導出するので、サイズが異なるワイヤ１３で防護柵３を構成する場合に、ばね受体２６を交換するだけで、他の部品に比べてコストが高い連結ケース２８を共通部品として使用することができる。また、ワイヤサイズが近似する場合には、連結ケース２８に加えて、テンションばね２４やスラストベアリング２７などを共通部品として使用することができる。第１・第２の両ワイヤ連結具１１・１２においても連結ケース２８は共通使用される。
【００３４】
第２ワイヤ連結具１２のばね受体２６を、２分割された分割体２６ａ・２６ａで構成して、ワイヤ１３に対して後組みできるようにするので、ビスを締緩操作する必要があった従来装置に比べて、ワイヤ１３と第１・第２の両ワイヤ連結具１１・１２の組立、およびワイヤ１３の張り渡し作業を簡便に行なうことができ、全体として防護柵の製作に要する費用を削減して導入コストを低下できる。
【００３５】
ワイヤ１３の両端に固定したエンド金具２５でワイヤ１３に作用する緊張力を受け止めるので、ビスの操作頭部でテンションばねの緊張力を受け止める従来装置に比べて、長期使用時、あるいは外部振動が防護柵３に連続して作用するような場合にワイヤ１３が緩むのを確実に阻止できる。したがって、人の体重をワイヤ１３で受け止めるような場合に、ワイヤ１３が大きく撓み変形してバランスを崩すような事態を排除して防護柵３の安全性を向上でき、とくに防護柵３が高層階のバルコニーや、吹き抜けに臨む廊下などの手摺に適用される場合の安全性を強化できる。外観上の体裁も向上できる。第２ワイヤ連結具１２のばね受体２６を、２分割された分割体２６ａ・２６ａで構成して、ワイヤ１３に対して後組み可能とすることにより、補助縦枠７に形成されるワイヤ通口１４の直径や大きさを最小限化して、縦枠６間に張り渡したワイヤ１３の撓みを規制でき、このことも、防護柵３の安全性を強化することに役立っている。
【００３６】
上記の実施例では、建物躯体に固定される防護柵３を利用して、その上端に手摺棒２を固定したが、本発明の防護柵３は、手摺棒２が手摺専用の支柱４や補助支柱５に直接固定してある手摺構造にも適用することができる。その場合には、手摺１の支柱４を利用してワイヤ１３を張り渡すので、本発明における縦枠６を支柱４と読み換え、補助縦枠７を補助支柱５と読み換えることとする。
【００３７】
上記の実施例におけるテンションばね２４は少なくとも１個あればよく、その場合には第２ワイヤ連結具１２のテンションばね２４を省略することができる。ばね受体２６は３以上の分割体で構成することができる。第２ワイヤ連結具１２のばね受体２６は、第１ワイヤ連結具１１のばね受体２６と同様に筒壁３５を省略した構造であってもよいが、その場合には、座壁３６あるいはボス部３７の周面に装填溝３９を形成して、止め輪４１で分割体２６ａを分離不能に保持するとよい。第１・第２の両ワイヤ連結具１１・１２のばね受体２６は、分割体２６ａで構成された共通部品であってもよい。装填溝３９および止め輪４１は、省略することができる。その場合には分割体２６ａを筒状に保持した状態で連結ケース２８に差し込む必要があるが、そのボス部３７をケース通口３３に嵌め込んだのちは分割体２６ａが分離することはない。止め輪４１は市販品を流用でき、必要があればプラスチック製のリングで形成することができる。
【００３８】
上記の実施例以外に、防護柵３は主枠体９の縦枠６に少なくとも１個のワイヤ１３が張り渡してあればよい。ワイヤ１３は、縦枠６に対して直交する状態で平行に張り渡す必要はなく、斜めに、あるいは交差する状態で張り渡すことができる。なお、ばね受体２６は、周面の１個所にワイヤ１３用の出し入れ溝をワイヤ挿通穴３８の中心軸と平行に形成して、ワイヤ１３に対して後組み可能とすることができる。しかし、その場合には前述の出し入れ溝へ向かってワイヤが押されるとき、ワイヤの動きをばね受体２６で規制することができない点で問題がある。
【図面の簡単な説明】
【００３９】
【図１】防護柵におけるワイヤの緊張構造を示す断面図である。
【図２】防護柵の正面図である。
【図３】第１ワイヤ連結具の分解断面図である。
【図４】第２ワイヤ連結具の分解断面図である。
【図５】分割体で構成されるばね受体の分解斜視図である。
【図６】図１におけるＡ−Ａ線断面図である。
【符号の説明】
【００４０】
３  防護柵
６  縦枠
７  補助縦枠
１０  連結金具
１１  第１ワイヤ連結具
１２  第２ワイヤ連結具
１３  ワイヤ
２４  テンションばね
２５  エンド金具
２６  ばね受体
２６ａ  分割体
２８  連結ケース
３３  ケース通口
３９  装填溝
４１  止め輪
【図１】
2010043432.tif 000003
【図２】
2010043432.tif 000004
【図３】
2010043432.tif 000005
【図４】
2010043432.tif 000006
【図５】
2010043432.tif 000007
【図６】
2010043432.tif 000008